(57)【要約】      （修正有）【課題】  受光光に照明光以外のノイズの混入を防止して高い読取り性能を得、そのための構成を比較的簡単で安価に済ませる。【解決手段】  読取対象Ｒに向けて赤色光を発光する複数個のＬＥＤ８と、防塵プレート１０に一体に形成された照明用レンズ９とからなる照明部５と、読取対象Ｒからの反射光を受光しバーコードを読取る受光光学部６を設ける。受光光学部６を、物体側ミラー１２、ローパスフィルタ１３、絞り板１４、結像レンズ１５、結像側ミラー１６、光センサ１１から構成する。ローパスフィルタ１３は、照明光のピーク波長においては、８０％以上の透過率を有し、短い波長において低透過率となる特性を有する。受光センサ１１の受光感度特性と、１個のローパスフィルタ１３とによって、照明光のピーク波長を含む波長範囲の光のみを受光センサ１１に導くバンドパスフィルタとしての機能を実現する。【選択図】  図１
2007034605.tif 000002
【特許請求の範囲】
【請求項１】
本体ケース内に、情報コードが記された読取対象に向けて可視光の領域にピーク波長をもつ照明光を照射する照明光源と、前記読取対象からの反射光を受光するための結像レンズ及び受光センサとを備える光学的情報読取装置であって、
前記受光センサに、可視光の波長領域において受光感度が高くそれ以外の領域で減衰する特性を有するものを採用すると共に、
前記受光センサの受光光路中に、所定波長より短い或いは長い波長の光を遮断する１個の光学フィルタを設け、
前記受光センサの受光感度特性と前記光学フィルタとから、前記照明光のピーク波長を含む可視光の波長領域よりも狭い波長範囲の光のみを前記受光センサに導くバンドパスフィルタが構成されていることを特徴とする光学的情報読取装置。
【請求項２】
前記照明光源は、可視光の波長領域のうち波長の長い側又は短い側に偏った波長の照明光を発するように構成され、
前記光学フィルタは、前記照明光の波長が長い側に偏っている場合には、短波長側を遮断するローパスフィルタから構成され、前記照明光の波長が短い側に偏っている場合には、長波長側を遮断するハイパスフィルタから構成されることを特徴とする請求項１記載の光学的情報読取装置。
【請求項３】
前記本体ケースには、前記読取対象からの反射光を入射させるための読取窓が設けられ、前記光学フィルタは、前記読取窓の内側に配置され、防塵プレートの機能を兼用していることを特徴とする請求項１又は２記載の光学的情報読取装置。
【請求項４】
前記結像レンズの前部に、前記本体ケースに一体に形成された絞り板が配設され、前記光学フィルタは、前記絞り板の前部に配設されていることを特徴とする請求項１又は２記載の光学的情報読取装置。
【請求項５】
前記結像レンズの前部に配置された前記光学フィルタの表面に、印刷により絞りが形成されることにより、前記光学フィルタが絞りを兼用していることを特徴とする請求項１又は２記載の光学的情報読取装置。
【請求項６】
前記結像レンズは、それ自身が所定波長より短い或いは長い波長の光を遮断する材質から構成されることにより、前記光学フィルタとしての機能を兼用していることを特徴とする請求項１又は２記載の光学的情報読取装置。
【請求項７】
前記受光センサの受光光路中に、入射した光を折曲げるためのミラーが配設され、そのミラーがダイクロイックミラーから構成されることにより、前記光学フィルタとしての機能を兼用していることを特徴とする請求項１又は２記載の光学的情報読取装置。
【請求項８】
前記照明光のピーク波長が、６００〜７００ｎｍの範囲にあり、前記光学フィルタは、前記ピーク波長において８０％以上の透過率を有し、６００ｎｍより短い波長において低透過率とされるローパスフィルタからなることを特徴とする請求項２ないし７のいずれかに記載の光学的情報読取装置。
【請求項９】
前記照明光のピーク波長が、４００〜５００ｎｍの範囲にあり、前記光学フィルタは、前記ピーク波長において８０％以上の透過率を有し、５００ｎｍより長い波長において低透過率とされるハイパスフィルタからなることを特徴とする請求項２ないし７のいずれかに記載の光学的情報読取装置。
【発明の詳細な説明】
【技術分野】
【０００１】
本発明は、本体ケース内に、情報コードが記された読取対象に向けて照明光を照射する照明光源と、前記読取対象からの反射光を受光するための結像レンズ及び受光センサとを備える光学的情報読取装置に関する。
【背景技術】
【０００２】
例えばバーコード等の情報コードを読取るハンディタイプの光学的情報読取装置（バーコードリーダ）は、本体ケース内に、読取対象（バーコードが印刷されたラベル）に対し照明光を照射するための照明光学系と、読取対象からの反射光を、結像レンズを介してＣＣＤセンサ等の受光センサより受光（撮像）する受光光学系とを備えている。前記照明光学系は、照明光源や、その前方に配置された照明用レンズなどから構成され、前記照明光源としては、例えば赤色光を発光するＬＥＤが採用されている。
【０００３】
ところで、この種の光学的情報読取装置にあっては、情報コードからの反射光が受光センサに入射される際に、照明光以外の光の混入によるノイズを防止し、ひいては読取り性能を高めるために、受光光学系の光路中に、所定の波長範囲（赤色光の範囲）の光のみを透過するバンドパスフィルタを設けることが有効である。具体的には、例えばガラス製の結像レンズの表面に、真空蒸着によって多層膜からなるバンドパスフィルタを形成する、あるいは、結像レンズとは別体に、板状のバンドパスフィルタを設けることが考えられていた。
【０００４】
ところが、結像レンズの表面にバンドパスフィルタを形成するものでは、真空蒸着工程を繰返して何十層もの多層膜を形成しなければならず、極めて高価なものとなる不具合があった。この場合、安価なプラスチック製の結像レンズでは、多層膜を蒸着するにあたっての剥離強度が十分でなく、結像レンズ自体も高価なものを採用せざるを得ない事情があった。また、別体のバンドパスフィルタを設ける場合も、バンドパスフィルタ自体が比較的高価であるため、コストアップを招くものとなっていた。
【０００５】
そこで、特許文献１には、受光センサの光路中に、照明光の波長帯よりも短い側の波長の光を遮断するローパスフィルタと、照明光の波長帯よりも長い側の波長の光を遮断するハイパスフィルタ（ダイクロイックミラー）との２つの光学フィルタを設けることにより、バンドパスフィルタを設ける場合に比べてコストダウンを図りながら、所望のバンドパス特性を得ることが記載されている。
【特許文献１】特開平９−１６０９９９号公報
【発明の開示】
【発明が解決しようとする課題】
【０００６】
しかしながら、上記特許文献１に記載された技術においても、ローパスフィルタとハイパスフィルタとの２つのフィルタによってバンドパスフィルタの効果を得ようとするものであるため、部品点数がその分多くなってしまい、コストダウンを図る点では不十分であった。
【０００７】
本発明は上記事情に鑑みてなされたもので、その目的は、受光センサに入射される受光光に照明光以外のノイズの混入を防止して高い読取り性能を得ることができるものであって、そのための構成を比較的簡単で安価に済ませることができる光学的情報読取装置を提供するにある。
【課題を解決するための手段】
【０００８】
上記目的を達成するために、本発明の光学的情報読取装置は、本体ケース内に、情報コードが記された読取対象に向けて可視光の領域にピーク波長を持つ照明光を照射する照明光源と、前記読取対象からの反射光を受光するための結像レンズ及び受光センサとを備えるものにあって、前記受光センサに、可視光の波長領域において受光感度が高くそれ以外の領域で減衰する特性を有するものを採用すると共に、前記受光センサの受光光路中に、所定波長より短い或いは長い波長の光を遮断する１個の光学フィルタを設け、前記受光センサの受光感度特性と前記光学フィルタとから、前記照明光のピーク波長を含む可視光の波長領域よりも狭い波長範囲の光のみを前記受光センサに導くバンドパスフィルタが構成されているところに特徴を有する（請求項１の発明）。
【０００９】
これによれば、受光センサの受光感度特性と、１個の光学フィルタとによって、照明光のピーク波長（主スペクトル）を含む波長範囲の光のみを受光センサに導くバンドパスフィルタとしての機能が実現される。このとき、受光センサとしては、可視光の波長領域において受光感度が高い特性を有するＣＣＤセンサ等が一般的であり、安価且つ容易に入手できる。このバンドパスフィルタによって、照明光以外のノイズの混入を防止し、受光センサにより照明光の主波長のみを受光することができ、高い読取り性能を得ることができる。この場合、光学フィルタは、バンドパスフィルタと異なり、短波長或いは長波長のいずれかを遮断するフィルタであるので、光学フィルタ自体が安価となる。これと共に、受光センサの受光感度特性を利用したことによって光学フィルタは１個設けるだけで済むので、高価なバンドパスフィルタを設ける場合や、ローパスフィルタとハイパスフィルタとの２つのフィルタを設ける場合に比較して、構成が簡単となると共に安価に済ませることができる。
【００１０】
このとき、照明光源を、可視光の波長領域のうち波長の長い側又は短い側に偏った波長の照明光を発するものとし、光学フィルタを、照明光の波長が長い側に偏っている場合には、短波長側を遮断するローパスフィルタから構成し、照明光の波長が短い側に偏っている場合には、長波長側を遮断するハイパスフィルタから構成することができる（請求項２の発明）。
【００１１】
これによれば、受光センサ及び光学フィルタを比較的安価に済ませることができ、所期の作用、効果を得ながらも、より一層のコストダウンを図ることができる。尚、上記波長が長い側、短い側とは、照明光のピーク波長が、可視光範囲の中心例えば５５０ｎｍよりも長いか短いかで区分される。また、本発明においては、周波数が低い側（波長が長い側）を透過させる光学フィルタを、ローパスフィルタと称し、周波数が高い側（波長が短い側）を透過させる光学フィルタを、ハイパスフィルタと称している。
【００１２】
上記光学フィルタを設けるにあたっての、より具体的な構成として、次のような構成を採用することができる。即ち、まず、本体ケースに読取対象からの反射光を入射させるための読取窓が設けられるものにあっては、光学フィルタを、読取窓の内側に配置することによって、防塵プレートの機能を兼用させるように構成することができる（請求項３の発明）。これにより、部品数のより一層の削減を図ることができる。
【００１３】
また、結像レンズの前部（物体側）には、絞り板を設けることが行われるが、その絞り板を本体ケースに一体に形成し、光学フィルタを、その絞り板の前部（物体側）に配設することができる（請求項４の発明）。
【００１４】
あるいは、結像レンズの前部（物体側）に前記光学フィルタを配置し、その表面に印刷により絞りを形成することにより、前記光学フィルタが絞りを兼用する構成とすることができる（請求項５の発明）。結像レンズ自身を、所定波長より短い或いは長い波長の光を遮断する材質から構成することにより、光学フィルタとしての機能を兼用させるように構成することができる（請求項６の発明）。これらによっても、部品数のより一層の削減を図ることができる。
【００１５】
さらには、受光センサの受光光路中に、入射した光を折曲げるためのミラーが配設されるものにあっては、そのミラーをダイクロイックミラーから構成することによって、光学フィルタとしての機能を兼用させることができる（請求項７の発明）。これによっても、部品数の削減を図ることができ、しかも比較的安価に光学フィルタを構成することができる。
【００１６】
本発明においては、照明光のピーク波長を６００〜７００ｎｍの範囲（赤色光）とすることができ、この場合、光学フィルタを、前記ピーク波長において８０％以上の透過率を有し、６００ｎｍより短い波長において低透過率とされるローパスフィルタから構成することができる（請求項８の発明）。又は、照明光のピーク波長を４００〜５００ｎｍの範囲（青色光）とすることができ、この場合、光学フィルタを、前記ピーク波長において８０％以上の透過率を有し、５００ｎｍより長い波長において低透過率とされるハイパスフィルタからから構成することもできる（請求項９の発明）。これらによれば、受光センサの受光感度特性と、ローパス又はハイパスフィルタからなる光学フィルタとによって、簡単で安価な構成で、バンドパスフィルタとしての機能を実現させることができる。
【発明を実施するための最良の形態】
【００１７】
以下、本発明を具体化したいくつかの実施例について、図面を参照しながら説明する。
（１）第１の実施例
まず、図１ないし図４を参照して、本発明の第１の実施例について述べる。図１は、本実施例に係る光学的情報読取装置たるバーコードリーダ１の要部構成を示している。このバーコードリーダ１は、ユーザが片手で持って操作可能な大きさの縦長形状をなす本体ケース２内に、ラベル等の読取対象Ｒに記録された情報コードたるバーコード（図３参照）を読取るための読取機構を配設して構成される。
【００１８】
前記本体ケース２は、上ケース２ａと下ケース２ｂとを接合させて構成され、その先端側（図で左側）が斜め下方に傾斜するいわゆる首曲り状とされている。この本体ケース２の先端面部には、読取窓３が開口した状態に設けられている。そして、この本体ケース２内に設けられる読取機構は、回路基板４や、読取対象Ｒに向けて照明光を照射する照明手段としての照明部５、読取対象Ｒからの反射光を受光（撮像）しバーコードを読取る受光手段としての受光光学部６などから構成されている。前記回路基板４には、装置全体の制御やデコード処理等を行なうマイクロコンピュータ７（図３参照）や、後述する各種回路が設けられている。
【００１９】
前記照明部５は、図３にも示すように、照明光源としての複数個のＬＥＤ８と、その前部（物体側）に配置され前記ＬＥＤ８から発せられた光を集光又は拡散する照明用レンズ９とを備えて構成される。前記ＬＥＤ８は、例えば赤色光を発光するものからなり、前記回路基板４の先端側下面部に斜め下向き（読取窓３の方向）に配設されている。このとき、本実施例では、ＬＥＤ８の発光波長は、図４に符号Ｃで示すように、可視光の領域（４００ｎｍ〜７００ｎｍ）のうち波長の長い側（５５０ｎｍを越える側）に偏っており、ピークの波長（輝度が最大となる主波長）が例えば６４０ｎｍとされている。
【００２０】
また、本実施例では、前記照明用レンズ９は、読取窓３の内側のやや奥方に配置された透光性を有するプラスチック製の防塵プレート１０に一体に形成されている。これにて、照明光の光路を符号Ｌ１で示すように、ＬＥＤ８から発せられた照明光（赤色光）は、照明用レンズ９により集光又は拡散された後、前記読取窓３を通って読取対象Ｒ（バーコード）に対して照射されるようになっている。
【００２１】
そして、前記受光光学部６は、バーコード画像を取込むための受光センサ１１を備えると共に、前記読取窓３から入射した光（読取対象Ｒからの反射光）を前記受光センサ１１に導くための、物体側ミラー１２、光学フィルタとしてのローパスフィルタ１３、絞り板１４、例えば１個のプラスチックレンズからなる結像レンズ１５、結像側ミラー１６を備えて構成される。このとき、受光センサ１１の受光光路は、図１に符号Ｌ２で示すものとなる。
【００２２】
そのうち受光センサ１１は、ＣＣＤ撮像素子からなり、前記回路基板４の後部寄り部位の上面に上向きに配設されている。このとき、この受光センサ１１は、図４に符号Ａで示すように、特定の波長領域この場合可視光の波長領域（４００ｎｍ〜７００ｎｍの範囲）で受光感度が高くそれ以外の波長領域で減衰する受光感度特性を有している。
【００２３】
前記物体側ミラー１２は、前記読取対象Ｒからの反射光（読取窓３及び防塵プレート１０を通って本体ケース２内に入射した光）を奥方（図で右方）に折曲げて前記ローパスフィルタ１３、絞り板１４、結像レンズ１５部分に導くようになっている。前記絞り板１４及び結像レンズ１５は、反射光（バーコード画像）を受光センサ１１の受光部上に結像させるためのものである。前記結像側ミラー１６は、結像レンズ１５を通った反射光を折曲げて前記受光センサ１１の受光部に導くようになっている。
【００２４】
さて、図２にも示すように、本実施例では、前記結像レンズ１５の前部（物体側）に絞り板１４が配置され、その絞り板１４の前部（物体側）に、ローパスフィルタ１３が配置されている。このとき、絞り板１４は、前記本体ケース２（上ケース２ａ）に下方に延びるように矩形状の薄板部を一体に形成すると共に、その薄板部にやや縦長の長方形の開口１４ａを形成することにより設けられている。前記結像レンズ１５は、この絞り板１４の後面部（結像側）に配設されている。
【００２５】
そして、前記ローパスフィルタ１３は、所定波長よりも短い波長の光を遮断するカラーフィルタからなり、この場合、図４に符号Ｂで示すように、前記照明光のピーク波長（６４０ｎｍ）においては、８０％以上（より詳しくは９０％以上）の透過率を有し、６００ｎｍより短い波長において、低透過率となる（透過率が急激に減少する）特性を有している。これにて、ローパスフィルタ１３により、照明光のピーク波長（６４０ｎｍ）を含む波長範囲の光のみが前記受光センサ１１に導かれるようになっている。
【００２６】
図３は、上記バーコードリーダ１の電気的構成を概略的に示している。ここで、前記マイクロコンピュータ７には、本体ケース２の外面部に設けられたトリガスイッチ１７からの信号が入力されるようになっていると共に、リセット回路１８からの信号が入力されるようになっている。このマイクロコンピュータ７は、報知用のブザー１９及び表示用ＬＥＤ２０を、ブザー駆動回路２１及び表示ＬＥＤ駆動回路２２を介して夫々制御するようになっている。また、マイクロコンピュータ７は、インターフェイス回路２３を介して外部のホスト装置との通信を実行するようになっている。さらに、このマイクロコンピュータ７には、画像データ等を記憶するためのメモリ２４（例えばＥＥＰＲＯＭ）が接続されている。
【００２７】
そして、マイクロコンピュータ７は、照明ＬＥＤ駆動回路２５を介して照明部５の各ＬＥＤ８を駆動するようになっていると共に、受光センサ１１を制御するようになっている。また、マイクロコンピュータ７には、前記受光センサ１１による撮像信号が、波形成形部２６を介して入力されるようになっている。このとき、マイクロコンピュータ７は、トリガスイッチ１７がオン操作されると、照明部５（ＬＥＤ８）をオン（点灯）させて受光センサ１１によるバーコードの画像の取込みを実行させ、その撮像信号からバーコードを読取る（デコードする）ようになっている。
【００２８】
次に、上記構成の作用について述べる。上記構成のバーコードリーダ１によりバーコード読取るにあたっては、ユーザは、図１に示すように、本体ケース２の読取窓３を、バーコードが記された読取対象Ｒに近接（又は接触）させ、トリガスイッチ１７の押圧（オン）操作を行うようにする。すると、ＬＥＤ８が発光され照明用レンズ９により集光又は拡散された後、光路Ｌ１で示すように、読取窓３を通して読取対象Ｒに照明光（赤色光）として照射される。
【００２９】
そして、バーコードからの反射光が、光路Ｌ２で示すように、本体ケース２内に入射され、防塵プレート１０を透過した後、物体側ミラー１２にて折曲げられ、ローパスフィルタ１３、絞り板１４及び結像レンズ１５を通り、さらに結像側ミラー１６により折曲げられて受光センサ１１上に結像される。これにて、受光センサ１１により、バーコードの画像が取込まれ、読取りが行われる。
【００３０】
このとき、図４に示すように、照明光が、符号Ｃのように、可視光の波長領域のうち波長の長い側に偏った（ピーク波長を６４０ｎｍとした比較的狭い波長範囲の）赤色光とされているのに対し、受光センサ１１の受光感度特性が、符号Ａのように、可視光の波長領域において受光感度が高いものとされていると共に、光路Ｌ２中に設けられたローパスフィルタ１３によって、符号Ｂのように、例えば６００ｎｍよりも短い波長側の光が遮断されるようになる。
【００３１】
これにより、受光センサ１１の受光感度特性と、１個のローパスフィルタ１３とによって、照明光のピーク波長を含む波長範囲の光のみを受光センサ１１に導くバンドパスフィルタとしての機能が実現され、照明光以外のノイズの混入が防止され、受光センサ１１により照明光の主波長のみを受光することができ、高い読取り性能を得ることができるのである。
【００３２】
この場合、ローパスフィルタ１３は、所定範囲の波長の光を遮断するバンドパスフィルタに比べてそれ自体が安価であり、また、受光センサ１１についても汎用のものを採用することができる。そして、受光センサ１１の受光感度特性を利用したことによってローパスフィルタ１３を１個設けるだけで済むので、高価なバンドパスフィルタを設ける場合や、ローパスフィルタとハイパスフィルタとの２つのフィルタを設ける場合に比較して、構成が簡単となると共に安価に済ませることができるのである。
【００３３】
このように本実施例によれば、受光センサ１１に入射される受光光に照明光以外のノイズの混入を防止して高い読取り性能を得ることができるものであって、そのための構成を比較的簡単で安価に済ませることができるという優れた効果を得ることができるものである。
【００３４】
（２）第２〜第５の実施例、その他の実施例
次に、図５〜図８を参照しながら、本発明の第２〜第５の実施例について、以下順に説明する。尚、以下述べる実施例についても、上記第１の実施例と同様に、本発明をバーコードリーダに適用したものであり、照明部５や受光光学部６の基本的な構成は上記第１の実施例と共通する。従って、上記第１の実施例と同一部分については、符号を共通して使用すると共に詳しい説明を省略し、以下、異なる点についてのみ述べることとする。
【００３５】
図５は、本発明の第２の実施例を示すものである。この実施例が、上記第１の実施例と異なる点は、本体ケース２内の読取窓３の内側のやや奥方に、防塵プレートを兼用するローパスフィルタ（光学フィルタ）３１を設けたところにある。この場合、ローパスフィルタ３１は、所定波長よりも短い波長の光を遮断するカラーフィルタからなり、やはり、前記照明光のピーク波長（６４０ｎｍ）においては、８０％以上の透過率を有し、６００ｎｍより短い波長において、低透過率となる（透過率が急激に減少する）特性を有している。また、このローパスフィルタ３１に照明用レンズ３２が一体に設けられている。尚、これに伴い、絞り板１４の前部のローパスフィルタ１３は省略されている。
【００３６】
このような第２の実施例においても、受光センサ１１の受光感度特性と、１個のローパスフィルタ３１とによって、照明光のピーク波長を含む波長範囲の光のみを受光センサ１１に導くバンドパスフィルタとしての機能が実現され、照明光以外のノイズの混入が防止され、受光センサ１１により照明光の主波長のみを受光することができ、高い読取り性能を得ることができる。しかも、ローパスフィルタ３１が、防塵プレートを兼用することにより、部品数のより一層の削減を図ることができる。
【００３７】
図６は、本発明の第３の実施例を示すものである。この実施例においては、第１の実施例におけるローパスフィルタ１３及び絞り板１４に代えて、結像レンズ１５の前部（物体側）に、光学フィルタとしての、上記ローパスフィルタ１３，３１と同様のローパスフィルタ４１を設けるようにしている。このとき、このローパスフィルタ４１の表面には印刷により絞り４２が形成されており、これにより、光学フィルタ４１が絞りを兼用する構成とされている。
【００３８】
このような第３の実施例においても、受光センサ１１の受光感度特性と、１個のローパスフィルタ４１とによって、照明光のピーク波長を含む波長範囲の光のみを受光センサ１１に導くバンドパスフィルタとしての機能が実現され、照明光以外のノイズの混入が防止され、受光センサ１１により照明光の主波長のみを受光することができ、高い読取り性能を得ることができる。しかも、ローパスフィルタ４１が、絞り板を兼用することにより、部品数のより一層の削減を図ることができる。
【００３９】
図７は、本発明の第４の実施例を示すものである。この実施例が、上記第１の実施例と異なる点は、結像側ミラーに、単純に光を折曲げるための結像側ミラー１６に代えて、ダイクロイックミラー５１を採用した構成にある。また、これに伴い、絞り板１４の前部のローパスフィルタ１３は省略されている。前記ダイクロイックミラー５１は、ガラスの表面に金属化合物を多層に真空蒸着してなる周知構成を備えるものであり、この場合、所定波長（例えば６００ｎｍ）よりも長い波長の光のみを反射する特性を有したものとなっている。従って、このダイクロイックミラー５１がローパスフィルタ（光学フィルタ）としての機能を兼用している。
【００４０】
このような第４の実施例においても、受光センサ１１の受光感度特性と、１個のローパスフィルタ（ダイクロイックミラー５１）とによって、照明光のピーク波長を含む波長範囲の光のみを受光センサ１１に導くバンドパスフィルタとしての機能が実現され、照明光以外のノイズの混入が防止され、受光センサ１１により照明光の主波長のみを受光することができ、高い読取り性能を得ることができる。しかも、ダイクロイックミラー５１がローパスフィルタの機能を兼用することにより、部品数のより一層の削減を図ることができるものである。
【００４１】
図８は、本発明の第５の実施例を示すものである。この第５の実施例では、上記第１〜第４の実施例と異なり、照明光源としてのＬＥＤを、例えば青色光を発光するものから構成すると共に、受光光路Ｌ２中のいずれかの部位に、光学フィルタとしてハイパスフィルタを配置する構成としている。このとき、前記ＬＥＤの発光波長は、図８に符号Ｃ´で示すように、可視光の領域（４００ｎｍ〜７００ｎｍ）のうち波長の短い側（５５０ｎｍ未満の側）に偏っており、ピークの波長（輝度が最大となる主波長）が４００ｎｍ〜５００ｎｍの範囲内例えば４７０ｎｍとされている。
【００４２】
そして、前記ハイパスフィルタは、所定波長よりも長い波長の光を遮断するカラーフィルタからなり、この場合、図８に符号Ｂ´で示すように、前記照明光のピーク波長（４７０ｎｍ）においては、８０％以上（より詳しくは９０％以上）の透過率を有し、５００ｎｍより長い波長において、低透過率となる（透過率が急激に減少する）特性を有している。これにて、ハイパスフィルタにより、照明光のピーク波長（４７０ｎｍ）を含む波長範囲の光のみが前記受光センサ１１に導かれるようになっている。
【００４３】
従って、この第５の実施例によっても、照明光が、符号Ｃ´のように、可視光の波長領域のうち波長の短い側に偏った青色光とされているのに対し、受光センサ１１の受光感度特性が、符号Ａのように、可視光の波長領域において受光感度が高いものとされていると共に、光路Ｌ２中に設けられたハイパスフィルタによって、符号Ｂ´のように、例えば５００ｎｍよりも長い波長側の光が遮断されるようになる。
【００４４】
これにより、受光センサ１１の受光感度特性と、１個のハイパスフィルタとによって、照明光のピーク波長を含む波長範囲の光のみを受光センサ１１に導くバンドパスフィルタとしての機能が実現され、照明光以外のノイズの混入が防止され、受光センサ１１により照明光の主波長のみを受光することができ、高い読取り性能を得ることができ、しかも、高価なバンドパスフィルタを設ける場合や、ローパスフィルタとハイパスフィルタとの２つのフィルタを設ける場合に比較して、構成が簡単となると共に安価に済ませることができるものである。
【００４５】
尚、上記した各実施例以外にも、光学フィルタを設けるための手段として、結像レンズ１５自身を、所定波長より短い或いは長い波長の光を遮断する材質から構成することにより、光学フィルタ（ローパス又はハイパスフィルタ）としての機能を兼用させるように構成することができる。これによっても、所期の目的を達成することがでると共に、部品数のより一層の削減を図ることができる。
【００４６】
その他、本発明は上記した各実施例に限定されるものではなく、例えば、受光光学部の構成としても様々な変形が可能であり、例えばミラーを用いないような構成とすることもできる。また、本発明は、バーコードリーダに限らず、ＱＲコード（登録商標）等の二次元コードを読取るものにも適用することができる等、要旨を逸脱しない範囲内で、適宜変更して実施し得るものである。
【図面の簡単な説明】
【００４７】
【図１】本発明の第１の実施例を示すもので、バーコードリーダの要部構成を示す縦断側面図
【図２】ローパスフィルタ部分の拡大側面図（ａ）及び拡大平面図（ｂ）
【図３】電気的構成を概略的に示すブロック図
【図４】波長に対する受光センサの受光感度、光学フィルタの透過率、照明光の輝度の関係を示す特性図
【図５】本発明の第２の実施例を示す図１相当図
【図６】本発明の第３の実施例を示す図１相当図
【図７】本発明の第４の実施例を示す図１相当図
【図８】本発明の第５の実施例を示す図４相当図
【符号の説明】
【００４８】
図面中、１はバーコードリーダ（光学的情報読取装置）、２は本体ケース、３は読取窓、５は照明部、６は受光光学部、７はマイクロコンピュータ、８はＬＥＤ（照明光源）、９，３２は照明用レンズ、１０は防塵プレート、１１は受光センサ、１２は物体側ミラー、１３，３１，４１はローパスフィルタ（光学フィルタ）、１４は絞り板、１５は結像レンズ、１６は結像側ミラー、４２は印刷により形成した絞り、５１はダイクロイックミラー、Ｒは読取対象、Ｌ２は受光光路を示す。
【図１】
2007034605.tif 000003
【図２】
2007034605.tif 000004
【図３】
2007034605.tif 000005
【図４】
2007034605.tif 000006
【図５】
2007034605.tif 000007
【図６】
2007034605.tif 000008
【図７】
2007034605.tif 000009
【図８】
2007034605.tif 000010